(57)【要約】      （修正有）【課題】小体積構造、高い効率、産業利用価値に富むという特徴があり、充分に冷媒回収の需要に応える冷媒回収機用カム式ポンプを提供する。【解決手段】冷媒を回収するポンプ設備中に応用するものであり、カム２を備え、モーター１１駆動後、カムの原理によって複数のピストンに往復運動を生じさせ、係合するシリンダー３とバルブ４が即刻流体抽出を行う。カム式構造を使って複数のピストンに同一方向または逆方向の運動を生じさせる。【選択図】図２
0003161382.tif 000002
【実用新案登録請求の範囲】
【請求項１】
出力端に軸体を備えるモーターに取り付け、内部にはカムに嵌設するためのモーターの軸体を挿入する空間を有し、側面に開口部を設ける本体と、
一つの中央回転体と二つの偏心回転体とを備え、各偏心回転体はピストンに連結し、カムの中心軸線箇所は軸孔を貫通し、軸孔には軸体を通し、軸体の各偏心回転体は非中心箇所に位置するカムと、
上記本体の開口部箇所に取り付け、内部には往復運動を行うピストンを配置する中空室を備えるシリンダーとにより構成されることを特徴とする冷媒回収機用カム式ポンプ。
【請求項２】
前記本体は、殼体形状を成し、モーター外側にはファンを連結し、本体の空間外側エッジには環状部を設け、前記環状部は、ネジでテフロンオイルシールとゴムパッキンを係合させて板体を被覆することを特徴とする請求項１記載の冷媒回収機用カム式ポンプ。
【請求項３】
前記軸体の末端には軸体軸受を備えることを特徴とする請求項１記載の冷媒回収機用カム式ポンプ。
【請求項４】
前記カムの二つの偏心回転体はそれぞれ中央回転体の両側に設けることを特徴とする請求項１記載の冷媒回収機用カム式ポンプ。
【請求項５】
前記偏心回転体の外部には軸受を嵌設し、しかも軸受外部には更に外嵌合リングを取り付け、外嵌合リングの一端に設ける延伸体の末端にはピストンを連結することを特徴とする請求項１記載の冷媒回収機用カム式ポンプ。
【請求項６】
前記軸孔は中央回転体の中心箇所に位置することを特徴とする請求項１記載の冷媒回収機用カム式ポンプ。
【請求項７】
前記シリンダー外部にはバルブを取り付け、シリンダー内部とバルブ内部とはつながり前記バルブには入口と出口を設置することを特徴とする請求項１記載の冷媒回収機用カム式ポンプ。
【請求項８】
前記の二つの偏心回転体の中心は、異なる軸線上に位置することを特徴とする請求項１記載の冷媒回収機用カム式ポンプ。
【請求項９】
前記の二つの偏心回転体の中心は同じ軸線上に位置することを特徴とする請求項１記載の冷媒回収機用カム式ポンプ。
【請求項１０】
前記中央回転体の側面には重りを取り付け、前記重りは偏心回転体の偏り箇所に対応する中央回転体の対応端に設け、前記中央回転体の側面には嵌入溝を備え、嵌入溝間にはネジ穴をあけ、嵌入溝に重りの嵌入骨を嵌設し、重りにあけた貫通穴にネジを通して重りを中央回転体に取り付けることを特徴とする請求項９記載の冷媒回収機用カム式ポンプ。
【考案の詳細な説明】
【技術分野】
【０００１】
本考案の「冷媒回収機用カム式ポンプ」は、冷媒流体を抽出するためのポンプ装置に関し、特に、カム式構造を使って複数のピストンに同一方向または逆方向の運動をさせる技術領域に係る。
【背景技術】
【０００２】
科学技術の発達に伴い、冷媒の応用は、例えば、家庭用冷蔵庫、クーラー、冷凍設備、自動車の空調装置など、日常生活において非常に広範に見られるようになった。伝統的に、冷蔵庫やクーラーの修理時には冷媒を直接漏出させていたが、これは、大気を汚染するばかりか、万一冷媒が高温にさらされた時には発火して有毒物質が生じ人体への危害もあるため、近年では、冷媒回収機によって冷媒等流体を抽出し、冷媒を特定の容器内に回収している。これは、作業の安全性に符合する他、地球環境問題に対する取り組みでもある。
【考案の概要】
【考案が解決しようとする課題】
【０００３】
現有する冷媒回収機について、考案人は、これらの構造には内部構造に適当な設計がなされておらず、更に改善の余地及び必要性があることに気づいた。そこで、考案人は、現有製品の欠点を改善すべく本考案を研究開発し、ここに提案する。
【課題を解決するための手段】
【０００４】
本考案の「冷媒回収機用カム式ポンプ」の主な目的は、次の冷媒回収機用カム式ポンプを提供することにある。それは、少なくとも二組のピストンとシリンダーを備え、前記二組のピストンはカムによって動かされ、カムが作動すると、二組のピストンは即刻同時に往復運動を始め、前記ピストンの往復運動ストロークには同一方向運動及び逆方向運動を含み、複数のピストン運動により、本考案は高効率、小体積の冷媒流体抽出目的を達成する。
【０００５】
上述目的を達成するために、本考案には具体的に次の内容を含む。本考案に備える本体は、その一端にモーターを設け、モーターの出力端を軸体として、前記本体内部には空間を備え、モーターの軸体を空間中に挿入配置する。前記軸体をカムに貫通し、前記カムに備える中央回転体の両側にはそれぞれ偏心回転体を設け、各偏心回転体の外部には軸受を嵌設し、しかも軸受外部には更に外嵌合リングを組み合わせ、外嵌合リングの一端には延伸体を設け、延伸体の末端にはピストンを連結する。前述本体の対称となる両側には開口部を設け、各開口部箇所にはシリンダーを備え、シリンダー内部に組み入れたピストンは往復運動を行う。
【０００６】
前記モーターの外側端にファンを設けるのが宜しく、作動時温度を下げられ、散熱効果を発揮する。
【０００７】
前記本体空間の外側エッジ端には環状部を形成するのが宜しく、前記環状部には板体を被覆して空間を密閉する。
【０００８】
前記各シリンダーにはバルブを組み合わせ、シリンダー内部とバルブ内部はつながり、しかもバルブには入口と出口を設置する。ピストンがシリンダー内で往復運動をすると、圧力が形成されてバルブにポンプの抽出作用を生じさせる。
【０００９】
前記カム内の中央回転体の中心箇所には軸孔を貫通するのが宜しく、前記軸孔にはモーターの軸体を挿入する。前記軸孔が各偏心回転体を貫通する場合、各偏心回転体の非中心箇所に位置する。
【考案の効果】
【００１０】
一実施例において、中央回転体の各側面にある二つの偏心回転体の中心は非同一軸線上に位置する。よって、軸体の回転により中央回転体が回転する時、二つの偏心回転体は角度に差異のある偏心運動を起こし、カム両側にあるピストンは相反方向の往復運動を生じさせる。この方法での二つのバルブは同時にポンプ抽出を行うため、吸収力を増強させる特徴を持つ。
【００１１】
他の一実施例において、前述した中央回転体の各側面にある二つの偏心回転体の中心は同一軸線上に位置する。よって、軸体の回転により中央回転体が回転する時、二つの偏心回転体は同角度の偏心運動を起こし、カム両側にあるピストンは同一方向の往復運動を生じさせる。この方法での二つのバルブは交替でポンプ抽出を行うため、動作がスムーズで、慣性の法則に基づくという特徴を持つ。
【図面の簡単な説明】
【００１２】
【図１】本考案の立体外観図である。
【図２】本考案の立体分解図である。
【図３】本考案に関するカムの立体分解図である。
【図４】本考案に関するカムの動作状態図である。
【図５】本考案に関するカムの他の動作状態図である。
【図６】本考案の他の実施例に関するカムの立体分解図である。
【図７】図６の実施例に関する動作状態図である。
【考案を実施するための形態】
【００１３】
図１、図２、図３、図４に示す通り、本考案の「冷媒回収機用カム式ポンプ」は、本体1、カム2、シリンダー3、及びバルブ4を備える。
【００１４】
前記本体1は、凡そ殼体形状を成し、本体1の一端にはモーター11を備え、前記モーター11の外側にはファン12を備え、モーター11の出力端を軸体14とし、前記本体1内部には空間13を設け、モーター11の軸体14を空間13内に挿入する。軸体14にはカム2を貫通させ、軸体14末端には軸体軸受141を配置する。また、本体1には対称となる両側に開口部15を設け、各開口部15箇所にはシリンダー3を設ける。本体1の空間13外側エッジには環状部16を設け、前記環状部16は、ネジ172によりテフロンオイルシール161とゴムパッキン171を組み合わせて板体17を被覆し、空間13を密閉する。
【００１５】
前記カム2は、中央回転体21を備え、中央回転体21の両側にはそれぞれ偏心回転体22を設け、各偏心回転体22の外部には軸受24を嵌設し、並びに、軸受24の外部には更に外嵌合リング25を組み合わせ、前記外嵌合リング25の一端に設ける延伸体26の末端にはピストン27を連結する。カム2の中心軸線箇所には軸孔23をあけ、本実施例において、軸孔23が各偏心回転体22を貫通する場合、各偏心回転体22の非中心箇所に位置するが、中央回転体21ではその中心箇所に位置する。
【００１６】
前記シリンダー3は、本体1の開口部15箇所に組み合わせ、シリンダー3内部は中空室31を有し、中空室31に組み入れるピストン27は往復運動を行う。本考案の開口部15の数量は二つとするのが宜しく、シリンダー3の数量と開口部15に相当する。
【００１７】
前記バルブ4は、係合するシリンダー3外部に設け、シリンダー3内部とバルブ4内部とはつながり、しかもバルブ4には入口41と出口42を設置する。ピストン27がシリンダー3内を往復運動する時、圧力を形成しバルブ4にポンプの抽出作用を生じさせる。
【００１８】
前述の構造を有する本考案を作動させる場合、モーター11の起動に伴い軸体14も回転し、軸体14を貫通するカム2の働きにより、中央回転体21、二つの偏心回転体22も同時に回転する。図４及び図５に示す通り、二つの偏心回転体22の中心が軸孔23箇所に位置しないため、カム2に偏心回転運動を引き起こす。二つの偏心回転体22が角度に差異のある偏心運動を起こす故、カム2両側に位置する二つのピストン27には相反方向の往復運動が生まれる。即ち、同時の内側方向運動、または同時の外側方向運動で、これによって二つのバルブ4は同時にポンプ抽出を行う。この運動法で二つのバルブ4が同時にポンプ作業を行うため、単一ピストン、単一バルブと比較して、更に効率の高いものとなり、抽出能力も増強される。
【００１９】
図６に、本考案のもう一つの実施例を示す。本実施例は特に、カムの配置に若干の変更を加えている。前記カム5に備える中央回転体51の両側には、それぞれ偏心回転体52を備え、各偏心回転体52の外部には軸受54を嵌設し、前記軸受54外部には更に外嵌合リング55を設ける。また、外嵌合リング55の一端には延伸体56を設け、延伸体56の末端にピストン57を連結し、カム5の中心軸線箇所には軸孔53をあける。本実施例において、軸孔53は、各偏心回転体52に貫通させる場合、各偏心回転体52の非中心箇所に位置するが、中央回転体51の中心箇所に位置している。特に、前記の二つの偏心回転体52の中心は同じ軸線上にあるため、二つの偏心回転体52は軸孔53に対して同時に一方向に偏り、前記中央回転体51の側面に有する嵌入溝511間にネジ穴512を設ける。前記嵌入溝511には重り58の嵌入骨581を嵌設し、並びに、重り58上にはネジ583で重り58を中央回転体51に固定するための貫通穴582を備える。二つの偏心回転体52の設置時、同時に軸孔53より一方向に偏りがある故、軸体14が回転すると、偏心配置した二つの偏心回転体52の回転にも重心偏移が起きる。この問題を解決するために、本考案では特に重り58を配置した。前記重り58は中央回転体51に位置する偏心回転体52の偏り箇所に対応する端に設け、このバランス式設計によって、重心偏移を消失させる。
【００２０】
前述した構造の本考案を動作させる場合、モーター11の起動に伴い軸体14が回転し、軸体14はカム5を通して中央回転体51、二つの偏心回転体52を同時に回転させる。二つの偏心回転体52の中心が軸孔53箇所に位置しないため、図７に示す通り、カムの偏心回転運動が現れる。二つの偏心回転体52の中心は同じ軸線上に位置しており、カムが往復運動をする時、二つのピストン57は同じ方向での往復運動を起こす。即ち、何れか一つのピストン57が内側方向運動をすると、もう一方のピストン57は外側方向運動をし、二つのバルブ4は交替にポンプ抽出作用を引き起こす。この運動法によってカム5の運行方向は常にピストン57の運動方向と同様となり、本考案は、作動のスムーズ性と慣性の法則に符合するという長所を備えるものとなる。
【符号の説明】
【００２１】
１−−−−−本体
１１−−−−モーター
１２−−−−ファン
１３−−−−空間
１４−−−−軸体
１４１−−−軸体軸受
１５−−−−開口部
１６−−−−環状部
１６１−−−テフロンオイルシール
１７−−−−板体
１７１−−−ゴムパッキン
１７２−−−ネジ
２−−−−−カム
２１−−−−中央回転体
２２−−−−偏心回転体
２４−−−−軸受
２５−−−−外嵌合リング
２６−−−−延伸体
２７−−−−ピストン
３−−−−−シリンダー
３１−−−−中空室
４−−−−−バルブ
４１−−−−入口
４２−−−−出口
５−−−−−カム
５１−−−−中央回転体
５１１−−−嵌入溝
５１２−−−ネジ穴
５２−−−−偏心回転体
５３−−−−軸孔
５４−−−−軸受
５５−−−−外嵌合リング
５６−−−−延伸体
５７−−−−ピストン
５８−−−−重り
５８１−−−嵌入骨
５８２−−−貫通穴
５８３−−−ネジ
【図１】
0003161382.tif 000003
【図２】
0003161382.tif 000004
【図３】
0003161382.tif 000005
【図４】
0003161382.tif 000006
【図５】
0003161382.tif 000007
【図６】
0003161382.tif 000008
【図７】
0003161382.tif 000009